(57)【特許請求の範囲】
【請求項１】
平板状の基板の一方の主面に複数の平板状の放熱フィンを所定の間隔をおいて平行に植設してなる冷却体と、この冷却体の基板の他方の主面上に熱伝導的に取り付けられた電力変換装置を構成する主回路構成素子および付属回路構成素子等とによりパワーユニットを構成し、このパワーユニットを、前記冷却体の放熱フィンが鉄道車両の車体の外側に露出するとともに車両の走行方向と平行となるようにして前記鉄道車両の車体に搭載し、前記冷却体の放熱フィンに車両の走行によって発生される走行風を当てて前記パワーユニットを冷却するように構成した鉄道車両用電力変換装置において、
前記冷却体に植設された放熱フィンの車両走行方向の前、後端の根元部に切欠きを設けるとともに、前記放熱フィンの切欠きに係合させるための切欠きが設けられ、前記鉄道車両の走行方向に直角に延びた第１のフィン押え板を設け、この第１のフィン押え板および前記放熱フィンの切欠きに互いに咬み合わせて前記第１のフィン押え板を、前記放熱フィンの前、後端の根元部に係合し、かつ前記パワーユニットを取り付けるフレームまたは前記冷却体に固定することにより、前記放熱フィンを第１のフィン押え板により前記基板側へ押さえつけることを特徴とする鉄道車両用電力変換装置。
【請求項２】
請求項１に記載の鉄道車両用電力変換装置において、前記第１のフィン押え板の放熱フィン間に伸びる突出部分を前記第１のフィン押え板の固定面に対して１０〜１５°傾斜させたことを特徴とする鉄道車両用電力変換装置。
【請求項３】
請求項１または２のいずれかに記載の鉄道車両用電力変換装置において、前記冷却体の複数の放熱フィンの先端側に第２のフィン押え板をろう付け等により結合して前記複数の放熱フィンを連結することを特徴とする鉄道車両用電力変換装置。
【請求項４】
請求項３に記載の鉄道車両用電力変換装置において、前記第２のフィン押え板を前記冷却体の放熱フィンの車両走行方向の前、後端および中間部に結合したことを特徴とする鉄道車両用電力変換装置。
【請求項５】
請求項３または４のいずれかに記載の鉄道車両用電力変換装置において、前記第２のフィン押え板に前記冷却体の各放熱フィン間の溝内に入り込む突出部を設け、この突出部が車両走行方向の前後側に傾斜し台形状をなすことを特徴とする鉄道車両用電力変換装置。
【発明の詳細な説明】
【技術分野】
【０００１】
この発明は、鉄道車両の駆動等のためにこれに搭載される鉄道車両用電力変換装置、特に車両の走行風により冷却を行うようにした電力変換装置に関する。
【背景技術】
【０００２】
鉄道車両に搭載される電力変換装置においては、小形軽量化および省メンテナンス化のために、特許文献１および２に示されるように半導体素子等で構成されるパワーユニットを冷却する冷却体の放熱フィンに車両の走行に伴って発生する走行風を当てて冷却する走行風冷却方式がとられる。
【０００３】
図１４に示すように、鉄道車両の駆動装置は、一般に、単相の主変圧器ＭＴｒの２次巻線ｗｇ２１から出力される交流電圧をコンバータＣＮＶにより直流電圧に変換し、この直流電圧をインバータＩＮＶにより可変電圧可変周波数（ＶＶＶＦ）の３相交流電圧に変換して車両を駆動する交流電動機ＩＭに供給し、交流電動機ＩＭを可変速駆動するよう構成されている。このような鉄道車両駆動装置において使用されるコンバータＣＮＶおよびインバータＩＮＶ等の電力変換装置を構成する半導体素子およびその他の付属回路素子をユニットにまとめたものが、パワーユニットと呼ばれるものである。なお、図１４においてＰＴは架線から集電するためのパンタグラフである。
【０００４】
図１５は、図１４に示した鉄道車両駆動装置における電力変換装置を構成するパワーユニットの鉄道車両の車体Ｂへの取り付け状態を示す従来装置ある。車体Ｂの床下に設けられた密閉機器室ＣＲに収納されたパワーユニットＰＵは、それぞれ冷却体ＨＳを備え、この冷却体ＨＳの基板の受熱面上にコンバータＣＮＶおよびインバータＩＮＶ等を構成するパワーユニットＰＵが熱伝導的に取り付けられている。パワーユニットＰＵを構成する半導体モジュールなどの発生する熱を冷却するために、冷却体ＨＳを、車体Ｂの床下に下向きにして、固定フレームＦＲに取り付け、冷却体ＨＳの基板の受熱面と反対側の放熱面に所定の間隔をおいて複数植設された放熱フィンＲＦが直接外気と接触するように機器室ＣＲを貫通して外へ露出される。これにより、放熱フィンＲＦが車両の走行によって生じる走行風を直接受ける。各放熱フィンＲＦは車両の走行方向と平行に相互に間隔をおいて並置され、各放熱フィンＲＦ間に形成される溝内に走行風を通流させることにより、冷却体ＨＳにパワーユニットＰＵから伝導される熱を放熱フィンＲＦを介して大気中へ放熱し、パワーユニットＰＵを冷却する。
このように、電力変換装置のパワーユニットを車両の走行風によって冷却するようにすると、強制冷却用の冷却ファンが不要となるため、装置が小形軽量化されると共に、回転機構を有する冷却ファンのメンテナンスが不要となりメンテナンスの手間を省くことができる利点が得られる。
【特許文献１】特開２００３-０４８５３３号公報
【特許文献２】特開２００４-００６９０１号公報
【発明の開示】
【発明が解決しようとする課題】
【０００５】
しかしながら、このような鉄道車両に搭載される鉄道用電力変換装置を構成するパワーユニットを冷却するための冷却体は、平板状の銅やアルミニウムのような高熱伝導性の金属材料で構成され、例えば、長さ（Ｌ）＝900ｍｍ×幅（Ｗ）＝820ｍｍ×厚さ（Ｄ）＝20ｍｍの大きさの基板に、高さ（Ｈ）＝120ｍｍ×長さ（Ｌ）＝850mm×厚さ（Ｄ）＝５ｍｍ程度の複数の平板状の放熱フィンをろう付けなどにより所定の間隔はなして平行に立設したものを用いるのが一般的である。
【０００６】
このような電力変換装置を登載する鉄道車両は、速度が300ｋｍ／ｈにも達する高速度で走行するため、走行中に、冷却体の放熱フィンに車両の振動や走行風により大きな機械的応力が加わる。放熱フィンはこの機械的応力によって共振や変形を起こしたり、飛来する異物と衝突したりすることによって、運転中に冷却体の放熱フィンの基板との結合部分などが破損することがある。特に、運転時間が長くなるに従って、フィン自身の腐食や、冷却体における放熱フィンを基板にろう付けしている場合は、このろう付け部分の不良などにより、冷却フィンと基板との結合強度が低下し、車両の走行にともなう振動や走行風の圧力によって放熱フィンの結合部分が破損し、放熱フィンが冷却体の基板から離脱したり、脱落したりするようなことが起こる可能性がある。
【０００７】
このように鉄道車両用電力変換装置においては、特に車両の走行風により冷却するようにした冷却体の冷却フィンの破損等により、放熱フィンが冷却体から離脱や脱落するような事態なると、車両の運行を停止させたり、車両に搭載された他の機器や鉄道地上設備を破損する危険や、電力変換装置の冷却性能の低下が起こったりするため、これを防止することが強く要望されている。
【０００８】
この発明は、前記にかんがみ、鉄道車両用電力変換装置において冷却体の冷却フィンの基板との結合部分が破損するようなことがあっても、冷却フィンが冷却体から離脱又は脱落することがないようにした鉄道車両用電力変換装置を提供することを課題とするものである。
【課題を解決するための手段】
【０００９】
前記の課題を解決するため、この発明は、平板状の基板の一方の主面に複数の平板状の放熱フィンを所定の間隔をおいて平行に植設してなる冷却体と、この冷却体の基板の他方の主面上に熱伝導的に取り付けられた電力変換装置を構成する主回路構成素子および付属回路構成素子等とによりパワーユニットを構成し、このパワーユニットを、前記冷却体の放熱フィンが鉄道車両の車体の外側に露出するとともに車両の走行方向と平行となるようにして前記鉄道車両の車体に搭載し、前記冷却体の放熱フィンに車両の走行によって発生される走行風を当てて前記パワーユニットを冷却するように構成した鉄道車両用電力変換装置において、
前記冷却体に植設された放熱フィンの車両走行方向の前、後端の根元部に切欠きを設けるとともに、前記放熱フィンの切欠きに係合させるための切欠きが設けられ、前記鉄道車両の走行方向に直角に延びた第１のフィン押え板を設け、この第１のフィン押え板および前記放熱フィンの切欠きに互いに咬み合わせて前記第１のフィン押え板を、前記放熱フィンの前、後端の根元部に係合し、かつ前記パワーユニットを取り付けるフレームまたは前記冷却体に固定することにより、前記放熱フィンを第１のフィン押え板により前記基板側へ押さえつけることを特徴とするものである。
【００１０】
この発明においては、前記第１のフィン押え板の放熱フィン間に伸びる突出部分をフィン押え板の固定面に対して１０〜１５°傾斜させるのがよい。
【００１１】
また、前記の発明においては、第２のフィン押え板を、冷却体の複数の放熱フィンの先端側にろう付け等によりそれぞれ結合して、全放熱フィンを連結するようにしてもよく、この場合、フィン押え板は放熱フィンの車両走行方向の前後端部と中間部に設けるのが好ましい。そしてこのフィン押え板に前記冷却体の各放熱フィン間の溝内に入り込む突出部を設け、この突出部が車両走行方向の前後側に傾斜し台形状をなすようにすることができる。
【発明の効果】
【００１２】
この発明によれば、鉄道車両に搭載された鉄道車両用電力変換装置において、この電力変換装置を構成するパワーユニットの取り付けられた冷却体に植設された複数の放熱フィンをフィン押え板により一体的に結合しているので、複数の放熱フィンのうちの一部の放熱フィンが、車両走行に伴う振動や走行風、あるいは飛来物との衝突などによる機械的応力を受けて、冷却体の基板との結合部が破損しても、この破損した放熱フィンは、破損していない正常な放熱フィンとフィン押え板とによって支持されているため、冷却体から離脱または脱落することが防止される。
【００１３】
また、フィン押え板を、放熱フィンの先端側に設けた場合は、前記のような破損した放熱フィンの冷却体からの離脱または脱落が防止されることに加えて、フィン押え板の整風作用により走行風を冷却体全体に効率よく送り込むことができ冷却効果を高めることができるという副次的な効果も得られる。
【００１４】
そして、複数の放熱フィンをフィン押え板により一体的に結合することにより、車両の走行に伴う振動による共振の発生を抑えることが可能となり、放熱フィンの脱落の原因である破損そのものを抑制することができる。
【発明を実施するための最良の形態】
【００１５】
以下にこの発明の実施の形態を、図に示す実施例について説明する。
【実施例１】
【００１６】
図1にこの発明の実施例1による電力変換装置のパワーユニットの構成を示す。この図1の（ａ）はその平面図、（ｂ）は正面図、（ｃ）は側面図である。
【００１７】
図1において、１は、銅やアルミニウム等の高熱伝導材で形成した平板状の基板１１とこの基板１１の下方の主面にろう付けまたは、引き抜き一体成形法などにより植設形成した複数の薄平板状の放熱フィン１２とにより構成された冷却体である。この冷却体１の基板１１の上方の主面上には、図１５に示すような３レベルコンバータのような電力変換装置の主回路を構成するＩＧＢＴモジュールＩＧＢＴやダイオードモジュールＤなどの半導体モジュール２を全て配設し、熱伝導的に結合することにより一体的なパワーユニットを構成する。
【００１８】
冷却体１の放熱部を構成する各放熱フィン１２は、矢印で示す車両走行方向（従って走行風の流れ方向）と平行に所定の間隔おいて基板の全幅に渡って並べられ、各放熱フィン間に形成される溝内に走行風を通流させることによって、冷却体１に伝導される半導体モジュール２の熱を大気中に放熱して半導体モジュールを冷却する。
【００１９】
そして、３１は、この発明にしたがって設けた第１のフィン押え板である。このフィン押え板３１は冷却体１の走行風の流れ方向の前端および後端（図１（ｂ）における右端と、左端）側において放熱フィン１２の根元部（放熱フィンの基板１との結合部）付近に係合し、全部の放熱フィン１２を冷却体１の基板１１側に押えつけるように構成されている。
【００２０】
このようなフィン押え板３１の構成の詳細を図３および図４に示す。図３は、冷却体１の放熱フィン根元部分を拡大して示す部分的な正面断面図、図４は、図３におけるＩＶ−ＩＶ線の断面図である。
【００２１】
フィン押え板３１は、冷却体１の基板と同じ幅の長さを有し（図１（ｃ）参照）、その放熱フィン１２と対向する端面に、図４および図６に示すように放熱フィン１２の設けられたピッチと同じピッチで矩形状の切欠き３１ａが設けられている。そして、放熱フィン１２には、図５に詳細を示すように、フィン押え板３１と対向する端面のその根元付近に矩形状の切欠き１２ａがそれぞれ設けられている。フィン押え板３１の切欠き３１ａと放熱フィン１２の切欠き１２ａとが咬み合うようにフィン押え板３１を放熱フィン１２に係合したうえで、冷却体１の基板１１とともに電力変換装置に設けた固定フレーム５（図３参照）に固定ねじ５１により締付け固定する。フィン押え板３１の各切欠き３１ａ間の突出部３１ｂは、各冷却フィン１２間の溝１２ｂ内に挿入され、その先端部が図３に示すように、冷却体の基板１１側へ１０〜１５°傾斜されている。
【００２２】
放熱フィン１２の切欠き１２ａはその前端面だけでなく、後端面にも設けられる。フィン押え板３１を、放熱フィン１２の前端面および後端面に互いの切欠きを咬み合わせてそれぞれ係合し（図１（ｂ）参照）、固定フレーム５に固定することによって（図３参照）、全部の放熱フィン１２を連結すると共に、冷却体１の基板１１側に強力に押さえつけることができる。
【００２３】
このように構成したパワーユニットは、車両の走行に伴って車両の走行方向と反対方向に流れる走行風が発生し、この走行風が冷却体１の放熱フィン１２間の溝１２ｂ内を通流するようになり、放熱フィン１２の熱がこの走行風によって大気中へ放熱されて冷却体１に取付けた半導体モジュール２を冷却する。車両の走行に伴って放熱フィン１２は、車両の振動や、走行風の風圧による機械的応力を受けるので、放熱フィン１２の基板１１との結合部の強度が、ろう付け不良等のために低下していると、この車両の振動や走行風の風圧によって破損を起こすことがある。
【００２４】
しかしこの発明においては、放熱フィン１２の全部がフィン押え板３１によって連結されると共に冷却体１の基板１１側に強力に押えつけられているので、放熱フィン１２の基板１１との結合部が破損したとしても基板１１から離脱したり脱落したりすることが防止される。
【００２５】
また、フィン押え板３１の突出部３２ｂの先端部が基板１１側へ傾斜されているので、放熱フィン１２間の溝１２ｂ内に通流される走行風が冷却体１の基板１１側に案内され基板の１１と接触して流れる走行風の量が多くなるため、冷却体１の走行風による冷却効果を高めることができる。
【００２６】
なお、フィン押え板３１は、固定フレーム５に固定する代わりに冷却体１の基板１１に固定してもよい。
【実施例２】
【００２７】
次に、この発明の実施例２について説明する。
【００２８】
図７は、この発明の実施例２の第１の形態による電力変換装置を構成するパワーユニットＰＵの構成を示すものである。（ａ）は平面図、（ｂ）は正面図、（ｃ）は側面図である。
【００２９】
冷却体１の高熱伝導材で形成された平板状の基板１１の上面にパワーユニットを構成する複数の半導体モジュール２が熱伝導的に載置搭載され、下面に複数の薄平板状の放熱フィン１２が所定の間隔おいて平行に植設されている構成は実施例１のものと同じである。
【００３０】
この実施例２では、冷却体１の放熱フィン１２の先端面（図７（ｂ）における下端側）に基板１１の幅方向（図７(ａ)の上下方向）に平板状の第２のフィン押え板３２を渡して、ろう付などにより結合し、全放熱フィンを連結する。このフィン押え板３２は、図７（ｂ）に示すように、放熱フィン１２の長さ方向（走行風の流れ方向）の前端、後端および中間点の３ケ所に設けるのが、放熱フィン間の溝に流す走行風を整風する上で効果がある。
【００３１】
このようにパワーユニットの冷却体１の全部の放熱フィン１２の先端を３つのフィン押え板３２により連結結合することにより、車両の走行による振動や走行風の風圧による応力を受けて、基板との結合強度の低下した一部の放熱フィンが破損するようなことがあっても、他の正常な放熱フィンおよびフィン押え板によって結合支持されているので、この破損した放熱フィンが冷却体の基板１１から離脱したり脱落したりすることはない。
【００３２】
また、このように放熱フィン１２の先端をフィン押え板３２により連結結合すると、フィン押え板３２が走行風の流れ方向に並置されることにより、図８に矢印で示すような整風作用が生じる。すなわち、車両の走行に伴う走行風が、走行風の上流側の放熱フィン１２の前端部からフィン間の溝１２ｂ送り込まれた走行風は、各フィン押え板３２により放熱フィンの外側への流れが押さえ込まれるとともに、溝１２ｂ内で流速を増して流れる走行風によって、放熱フィンの外側を流れる走行風が、それぞれ前端と中間点のフィン押え板３２の間および中間点と後端のフィン押え板３２の間から放熱フィン間の溝１２ｂ内に吸い込まれて流れるようになる。これにより、冷却体の基板１１の全長に渡る冷却効果をより均等にすることができ、基板１１の走行風の下流側（後端側）の位置における温度上昇を抑えることができる効果が得られる。
【００３３】
この実施例２の第２のフィン押え板による冷却効果をさらに高めるように改良した第２の形態を図９に示す。
【００３４】
この第２の形態は、図７の実施例２の第１の形態における、冷却体１の放熱フィン１２の先端を連結結合する平板状の第２のフィン押え板３２が、特に図９（ｂ）から明らかなように中間部が屈曲され、断面が台形状の突出部を有する板材で形成された第２のフィン押え板３３に変更されている点が異なるだけでその他の構成は、第１の形態と同じである。
【００３５】
図９からは、フィン押え板３３の構造が理解しがたいので、図１０にこのフィン押え板３３を拡大して示す。フィン押え板３３の幅方向の両側端部には平坦部３３ａが形成され、中間部に断面形状が台形となるように屈曲して形成された突出部３３ｂが設けられる。
フィン押え板３３の長さは、冷却体１の両側端の放熱フィン間に渡る長さを有し、フィン押え板３３の長さ方向に突出部３３ｂは、その間に冷却体１の放熱フィン１２が挿入可能な間隙３３ｃをおいて放熱フィン１２のピッチと同じピッチで複数設けられる。
【００３６】
このフィン押え板３３を放熱フィン１２の先端に結合するときは、各放熱フィン１２の先端を、部分的にフィン押え板３３の突出部３３ｂ間の間隙３３ｃにそれぞれ挿入して平坦部３３ａに接合し、接合部分を金属ろうなどにより結合し、フィン押え板３３により複数の放熱フィン１２を連結結合する。
【００３７】
これにより、冷却体１の放熱フィン１２間の溝内にフィン押え板３３の断面が台形状の突出部３３ｂがそれぞれ挿入され、この突出部ｂの傾斜面が溝内に通流された走行風を冷却体１の基板１１側に偏向案内するので、冷却風が基板表面を多量接触して流れるため、冷却体１の冷却効果をより高めることができる。
【００３８】
フィン押え板３３は、全部の放熱フィン１２を連結結合するので、一部の放熱フィン１２の基板との結合部が破損しても基板１１から離脱および脱落することが防止され、第１の形態におけるフィン押え板３２となんら変わらない作用をする。
【００３９】
第１の形態および第２の形態の冷却効果を確認するために、図１１に示すように、（ａ）のこの発明の第１形態のパワーユニットおよび（ｂ）のこの発明の第２の形態のパワーユニットに（ｃ）の従来例のパワーユニットを比較例として加えて温度試験を行なった。
【００４０】
これらの例の何れも、冷却体１およびパワーユニットＰＵは同じものであり、第１の形態例および第２の形態例は、それぞれ図１１の（ａ）および（ｂ）に示すように放熱フィンの先端に平板状のフィン押え板３２あるいは断面が台形状のフィン押え板３３が連結結合されたものであり、比較例は（ｃ）に示すように放熱フィンにフィン押え板も何も結合されていないものである。そして、各例の冷却体の基板のパワーユニットを構成する半導体モジュール２の直下の位置に温度センサを取り付け、それぞれパワーユニットＰＵａ、ＰＵｂ、ＰＵｃを同じ条件で運転し、冷却風の送風開始前と、冷却風の送風開始から所定時間経過後における各温度センサ取り付け位置Ｐ１〜Ｐ６における温度上昇値求める温度試験を行なった。
【００４１】
この温度試験の結果を、図１２に示す。図１２において、特性線ａは第１の形態例、特性線ｂは第２の形態例、そして特性線ｃは比較例の温度特性を示す。
【００４２】
この図１２から、第１の形態例および第２の形態例のものは、何れも冷却体基板の各点の温度上昇値が、比較例のものより小さく、冷却効果を高くなったことが理解できる。そして、第２の形態例は、冷却体の基板１１のどの位置においても第１の形態例よりも温度上昇値が小さく、より冷却効果が高いものでることが理解できる。
【実施例３】
【００４３】
この発明は、前記の実施例１と実施例２とを組み合わせて構成するようにしてもよく、このように構成したものを実施例３として図１３に示す。
【００４４】
この実施例３によるパワーユニットに結合された冷却体１の放熱フィン１２には、その根元部に第１のフィン押え板３１が結合され、そして放熱フィン１２の先端に第２のフィン押え板３３が結合される。これらのフィン押え板により複数の放熱フィン１２が相互に連結され、かつ基板１１へ押さえつけられるようになる。
【００４５】
これにより、車両の走行にともなって加わる振動や走行風の風圧による機械的応力を受けて一部の放熱フィン１２の基板１１との結合部が破損しても、この破損した放熱フィンはフィン押え板３１および３３と正常な放熱フィン１２によって基板１１に連結されているため、この破損した放熱フィンがフィン押え板により支持され、基板から離脱したり脱落したりすることが防止される。そして、放熱フィン１２の先端に結合した第２のフィン押え板３３は、その整風作用により、走行風を放熱フィン１２の結合された基板１１側へ効果的に案内するようになるため、特に冷却体の基板１１の走行風の流れ方向における上流側と下流側との冷却効果の差が小さくなり、基板全体の冷却効果をより均一化することができる効果が得られる。なお、図では放熱フィン１２の先端側をフィン押え板３３としているが、これに代えてフィン押え板３２としてもよい。
【図面の簡単な説明】
【００４６】
【図１】この発明の実施例１による電力変換装置を構成するパワーユニットの構成図であり、（ａ）は平面図、（ｂ）は正面図、（ｃ）は側面図である。
【図２】鉄道車両用電力変換装置として使用される３レベルコンバータの回路構成図である。
【図３】図１のパワーユニットの一部を拡大して示す縦断面図である。
【図４】図３のＩＶ−ＩＶ線の断面図である。
【図５】図１のパワーユニットの冷却体の一部を拡大して示す斜視図である。
【図６】図１のパワーユニットのフィン押え板を拡大して示す部分的な斜視図である。
【図７】この発明の実施例２によるパワーユニットの第１の形態を示す構成図であり、（ａ）は平面図、（ｂ）は正面図、（ｃ）は側面図である。
【図８】この発明の作用説明図である。
【図９】この発明の実施例２によるパワーユニットの第２の形態を示す構成図であり、（ａ）は平面図、（ｂ）は正面図、（ｃ）は側面図である。
【図１０】この発明の実施例２によるパワーユニットの第２の形態で使用するフィン押え板を拡大して示す部分的な斜視図である。
【図１１】この発明の実施例および比較例における温度試験の説明図である。
【図１２】この発明の実施例および比較例の温度特性を示す図である。
【図１３】この発明の実施例３によるパワーユニットを示す構成図であり、（ａ）は平面図、（ｂ）は正面図、（ｃ）は側面図である。
【図１４】一般的な鉄道車両の駆動装置を示す回路構成図である。
【図１５】従来の鉄道車両電力変換装置の車両への取り付け構成図である。
【図１】
0004756202.tif 000002
【図２】
0004756202.tif 000003
【図３】
0004756202.tif 000004
【図４】
0004756202.tif 000005
【図５】
0004756202.tif 000006
【図６】
0004756202.tif 000007
【図７】
0004756202.tif 000008
【図８】
0004756202.tif 000009
【図９】
0004756202.tif 000010
【図１０】
0004756202.tif 000011
【図１１】
0004756202.tif 000012
【図１２】
0004756202.tif 000013
【図１３】
0004756202.tif 000014
【図１４】
0004756202.tif 000015
【図１５】
0004756202.tif 000016